(57)【要約】【課題】管部材の開口部に、蓋部材を容易に取付けて確実に固定することができる蓋部材の取付け構造を提供する。【解決手段】複数の流入口１ａ，１ｃ及び点検口１ｄを有する排水ヘッダーＨの、流入口１ａ，１ｃ及び点検口１ｄ（以下、流入口等という。）の開口部を閉塞する蓋部材２の取付け構造であって、蓋部材２に係止部２ｃが形成されていると共に、該係止部２ｃと係止する被係止部１ｅが流入口等に形成されており、蓋部材２の係止部ｅｃと、流入口等の被係止部１ｅとが係止することで、蓋部材２が流入口等の開口部に取付けられる構成とする。蓋部材２に形成された係止部２ｃと、排水ヘッダーＨの流入口１ａ，１ｃ及び点検口１ｄに形成された被係止部１ｅとを係止させることで、蓋部材２を流入口等の開口部に取付けるという構成を採用することで、簡単且つ確実に蓋部材２を排水ヘッダーＨの流入口等に取付けることができる。【選択図】図１
2014070369.tif 000002
【特許請求の範囲】
【請求項１】
管部材の開口部を閉塞する蓋部材の取付け構造であって、
蓋部材に係止部又は／及び被係止部が形成されていると共に、該係止部又は／及び被係止部と係止する被係止部又は／及び係止部が、管部材の開口部近傍に形成されており、
上記蓋部材の係止部又は／及び被係止部と、管部材の被係止部又は／及び係止部とが係止することで、蓋部材が管部材の開口部に取付けられていることを特徴とする蓋部材の取付け構造。
【請求項２】
管部材が複数の流入口及び点検口（以下、流入口等という。）を有する排水ヘッダーであり、蓋部材の係止部又は／及び被係止部と係止する被係止部又は／及び係止部が、該流入口等に形成されており、上記蓋部材の係止部又は／及び被係止部と、流入口等の被係止部又は／及び係止部とが係止することで、蓋部材が排水ヘッダーの流入口等の開口部に取付けられていることを特徴とする請求項１に記載の蓋部材の取付け構造。
【請求項３】
蓋部材の係止部又は／及び被係止部が、蓋部材外周の後端から管部材に向って延出されて形成されていると共に、管部材の被係止部又は／及び係止部が、管部材の外周面に形成されており、管部材の開口部に蓋部材を取付けた状態において、蓋部材の係止部又は／及び被係止部と流入口等の被係止部又は／及び係止部が、管部材の外周面側に位置することを特徴とする請求項１又は請求項２に記載の蓋部材の取付け構造。
【請求項４】
係止部がＬ字状の突設片、切欠き、溝のいずれかであって、被係止部が凸部であり、管部材の開口部に蓋部材を当接させて蓋部材を回転させると係止部と被係止部が係止することを特徴とする請求項１ないし請求項３のいずれかに記載の蓋部材の取付け構造。
【請求項５】
係止部と被係止部の係止状態が外れるのを防止する外れ止めが、係止部又は／及び被係止部に形成されていることを特徴とする請求項１ないし請求項４のいずれかに記載の蓋部材の取付け構造。
【請求項６】
管部材の開口部を閉塞する蓋部材であって、管部材の開口部近傍に形成された被係止部又は／及び係止部と係止する係止部又は／及び被係止部が、蓋部材外周の後端から管部材に向って延出されて形成されており、管部材の開口部に蓋部材を取付けた状態において、蓋部材の係止部又は／及び被係止部が、管部材の外周面側に位置することを特徴とする蓋部材。
【発明の詳細な説明】
【技術分野】
【０００１】
本発明は、主に家屋の床下に配置され、浴室、洗面台、台所等の水設備と接続される管部材の開口部を閉塞する蓋部材の取付け構造とそれに用いる蓋部材に関するものである。
【背景技術】
【０００２】
近年、床下に排水ヘッダーを配置し、この排水ヘッダーに浴室、洗面台、台所等の水設備からの排水枝管を接続すると共に、この排水ヘッダーに接続した下流側排水管を家屋の基礎を貫通させて屋外に導出するようにした排水システムが好適に施工されるようになってきた。このような排水システムは、各水設備からの排水を排水ヘッダーに合流させ、基礎を貫通する下流側排水管を通じて一括して屋外に排出するため、各水設備からの排水を別々に屋外に排水する従来の排水システムに比べると、屋外に設置する排水桝の個数を大幅に削減してコストダウンを図ることができるものである。
【０００３】
上記排水システムに用いられる排水ヘッダーの流入口には、通常、浴室等の水設備からの排水枝管が接続されるが、排水ヘッダーには複数の流入口が設けられているので、使用していない流入口には蓋部材が取付けられて閉塞されている。また、排水ヘッダーの内部を点検するための点検口も、普段は蓋部材によって閉塞されている（例えば、特許文献１）。
【０００４】
排水ヘッダーの流入口や点検口への蓋部材の取付けは、主に次の３つの方法で行われる。
（１）枝管流入口内にパッキンを介して蓋部材を嵌挿すると共に、蓋部材の開口外縁に形成された円環状の鍔部を流入口の開口端に当接させて固定する方法。
（２）排水ヘッダーの流入口や点検口にボルトを設けると共に、蓋部材のフランジに挿通孔を設け、蓋部材の挿通孔に排水ヘッダーのボルトを挿通して、ボルトとナットによって固定する方法。
（３）蓋部材に雌ネジを形成すると共に、排水ヘッダーの流入口や点検口に雄ネジを形成して、それらを螺合することによって固定する方法。
【先行技術文献】
【特許文献】
【０００５】
【特許文献１】特開２００２−１０６００９号公報
【発明の概要】
【発明が解決しようとする課題】
【０００６】
しかしながら、上記（１）のパッキンを介して蓋部材を嵌挿固定したものは、排水ヘッダーの内部に大きな圧力が発生した際に、蓋部材が脱落してしまい、漏水してしまう恐れが生じるものであった。
また、上記（２）のボルトとナットにより固定したものは、ボルトとナットといった別部材を用いる必要があるので、専用の工具が必要となって施工性が良くなく、特に、メンテナンス時は、床下の狭い空間で蓋部材の脱着作業を行う必要が有るので、きちんとナットを締め込むことが困難で、もし、ボルトとナットに緩みが発生すると、そこから漏水に繋がる恐れもあった。
同様に、上記（３）の雄ネジと雌ネジの螺合により固定したものも、蓋部材を最後まで締め込む作業が手間であり、そこから緩みが発生して、漏水に繋がる恐れのあるものであった。
【０００７】
本発明は上記の問題に鑑みてなされたもので、その解決しようとする課題は、管部材の開口部に、蓋部材を容易に取付けて確実に固定することができ、種々の振動や圧力によって蓋部材が緩んだり脱落したりする恐れのない、蓋部材の取付け構造とそれに用いる蓋部材を提供することにある。
【課題を解決するための手段】
【０００８】
上記目的を達成するため、本発明に係る蓋部材の取付け構造は、管部材の開口部を閉塞する蓋部材の取付け構造であって、蓋部材に係止部又は／及び被係止部が形成されていると共に、該係止部又は／及び被係止部と係止する被係止部又は／及び係止部が、管部材の開口部近傍に形成されており、上記蓋部材の係止部又は／及び被係止部と、管部材の被係止部又は／及び係止部とが係止することで、蓋部材が管部材の開口部に取付けられていることを特徴とするものである。
【０００９】
本発明の排水ヘッダーの蓋部材取付け構造においては、管部材が複数の流入口及び点検口（以下、流入口等という。）を有する排水ヘッダーであり、蓋部材の係止部又は／及び被係止部と係止する被係止部又は／及び係止部が、該流入口等に形成されており、上記蓋部材の係止部又は／及び被係止部と、流入口等の被係止部又は／及び係止部とが係止することで、蓋部材が排水ヘッダーの流入口等の開口部に取付けられていることが好ましい。また、蓋部材の係止部又は／及び被係止部が、蓋部材外周の後端から管部材に向って延出されて形成されていると共に、管部材の被係止部又は／及び係止部が、管部材の外周面に形成されており、管部材の開口部に蓋部材を取付けた状態において、蓋部材の係止部又は／及び被係止部と流入口等の被係止部又は／及び係止部が、管部材の外周面側に位置することが好ましい。特に、係止部がＬ字状の突設片、切欠き、溝のいずれかであって、被係止部が凸部であり、管部材の開口部に蓋部材を当接させて蓋部材を回転させると係止部と被係止部が係止することが好ましく、係止部と被係止部の係止状態が外れるのを防止する外れ止めが、係止部又は／及び被係止部に形成されていることがより好ましい。
【００１０】
次に本発明の蓋部材は、管部材の開口部を閉塞する蓋部材であって、管部材の開口部近傍に形成された被係止部又は／及び係止部と係止する係止部又は／及び被係止部が、蓋部材外周の後端から管部材に向って延出されて形成されており、管部材の開口部に蓋部材を取付けた状態において、蓋部材の係止部又は／及び被係止部が、管部材の外周面側に位置することを特徴とするものである。
【発明の効果】
【００１１】
本発明の蓋部材の取付け構造は、従来の上記（１）〜（３）の方法とは異なり、蓋部材に形成された係止部又は／及び被係止部と、管部材の開口部近傍に形成された被係止部又は／及び係止部とを係止させることで、蓋部材を管部材の開口部に取付けるという構成を採用することで、簡単且つ確実に蓋部材を管部材の開口部に取付けることができる。また、このような係止部と被係止部による係止構造を採ることで、種々の振動や圧力によって蓋部材が緩むことはないし、容易に外れてしまう心配もない。
【００１２】
また、管部材が複数の流入口及び点検口（以下、流入口等という。）を有する排水ヘッダーであり、蓋部材の係止部又は／及び被係止部と係止する被係止部又は／及び係止部が、該流入口等に形成されており、上記蓋部材の係止部又は／及び被係止部と、流入口等の被係止部又は／及び係止部とが係止することで、蓋部材が排水ヘッダーの流入口等の開口部に取付けられている蓋部材の取付け構造のように、各水設備からの排水を合流させて、屋外に設置する排水桝の個数を大幅に削減してコストダウンを図ることができる排水ヘッダーの流入口等に、本発明の上記の優れた効果を奏する取付け構造を採用すると、床下の狭い空間でも、使用されていない流入口等を、迅速且つ確実に閉塞することができる。特に、この排水ヘッダーの内部は、各水設備からの排水が合流するため圧力変動が起こりやすく、蓋部材が脱落し易いので、本発明のように、蓋部材が脱落する恐れのない取付け構造の採用は非常に好ましい。
【００１３】
更に、蓋部材の係止部又は／及び被係止部が、蓋部材外周の後端から管部材に向って延出されて形成されていると共に、管部材の被係止部又は／及び係止部が、管部材の外周面に形成されており、管部材の開口部に蓋部材を取付けた状態において、蓋部材の係止部又は／及び被係止部と流入口等の被係止部又は／及び係止部が、管部材の外周面側に位置する蓋部材の取付け構造は、管部材の外側から係止部と被係止部の係止状態を視認することができるので、蓋部材の取付けが確実なものとなり、施工性が向上する。
【００１４】
特に、係止部がＬ字状の突設片、切欠き、溝のいずれかであって、被係止部が凸部であり、管部材の開口部に蓋部材を当接させて蓋部材を回転させると係止部と被係止部が係止する蓋部材の取付け構造は、係止部と被係止部を上記のような形状にすることで、係止がより確実なものとなり、管部材の内部からの圧力によって、蓋部材が脱落する心配は皆無に等しくなる。
【００１５】
また、係止部と被係止部の係止状態が外れるのを防止する外れ止めが、係止部又は／及び被係止部に形成されている蓋部材の取付け構造は、種々の振動によって係止部と被係止部の係止状態が外れることがなくなる。
【００１６】
次に、本発明の蓋部材は、管部材の開口部近傍に形成された被係止部又は／及び係止部と係止する係止部又は／及び被係止部を、蓋部材の外周に形成することで、管部材の開口部に蓋部材を係止させて取付ける係止構造を採用することができるようになる。従って、蓋部材を、簡単且つ確実に管部材の開口部に取付けることができると共に、種々の振動や圧力によって蓋部材が緩むことはないし、容易に外れてしまう心配もなくなる。また、係止部と被係止部を、蓋部材外周の後端から管部材に向って延出して形成することで、管部材の外側から係止部と被係止部の係止状態を視認することができるので、確実に蓋部材を取付けることができるようになり、施工性も良好となる。
【図面の簡単な説明】
【００１７】
【図１】本発明の一実施形態に係る蓋部材の取付け構造を示す正面図である。
【図２】本発明の一実施形態に係る蓋部材を示す斜視図である。
【図３】同蓋部材を排水ヘッダーの流入口に取付ける手順を示す説明図である。
【図４】同蓋部材を排水ヘッダーの流入口に取付けた状態の断面図である。
【図５】同蓋部材の係止部と排水ヘッダーの流入口の被係止部の係止状態を示す部分拡大図であって、（ａ）は図３の実施形態の部分拡大図、（ｂ）は他の実施形態の部分拡大図、（ｃ）は更に他の実施形態の部分拡大図である。
【図６】同蓋部材の取付け構造の施工例を示す概略図である。
【図７】本発明の他の実施形態に係る蓋部材の取付け構造を示す分解正面図である。
【発明を実施するための形態】
【００１８】
以下、図面を参照して本発明の具体的な実施形態を詳述する。
【００１９】
本発明の蓋部材の取付け構造は、図１、図６に示すように、家屋の床下の土間コンクリート５に配置され、浴室、洗面台、台所等の水設備（不図示）から排水を合流させて、下流側排水管４を経て屋外排水桝６へ排水する排水ヘッダーＨの、流入口１ａ，１ｃ及び点検口１ｄの開口部を蓋部材２によって閉塞するものである。
【００２０】
この排水ヘッダーＨは、排水の流れが良好な卵形の断面形状を有する合成樹脂製の横筒体であって、図１に示すように、その上流側端部には上流側排水管３を接続する流入口１ａが設けられ、下流側端部には下流側排水管４を接続する流出口１ｂが設けられ、両側面には排水枝管（不図示）を接続する複数の流入口１ｃ，１ｃが設けられている。これら流入口１ａ，１ｃはいずれも、その上端が排水ヘッダーＨの上端と略同一の高さとなるように上方に偏位して設けられており、排水ヘッダーＨの内部の水位が上昇しても、流入口１ａ，１ｃに接続される上流側排水管や排水枝管が閉塞されないようになっている。一方、下流側端部の流出口１ｂは、これに接続される下流側排水管４の内底面の最下部と排水ヘッダーＨの内底面の最下部とが同じ高さとなるように、下方に偏位して設けられており、排水が排水ヘッダーＨの底部に滞溜することなく全て下流側排水管４に流出するようになっている。また、この排水ヘッダーＨの上面には複数の点検口１ｄ，１ｄが形成され、後述する蓋部材２が脱着自在に取付けられている。
【００２１】
上記の排水ヘッダーＨは、合成樹脂で一体成形されたものではなく、合成樹脂で成形された複数のヘッダー用継手１，１を接合一体化して組立てられている。このヘッダー用継手１は、卵形の断面形状を有する短尺筒体の一端側（上流側）に受口１ｆを形成し、短尺筒体のいずれか片側面に排水枝管の流入口１ｃを上方に偏位させて形成すると共に、短尺筒体の上面に点検口１ｄを形成して蓋部材２を取付けたものであり、ヘッダー用継手１の受口１ｆに、隣接する上流側のヘッダー用継手１の他側端（下流側）の端部を差し込んで接着剤で水密的に接続すると共に、一番上流側のヘッダー用継手１の受口１ｆに上記の上流側排水管の流入口１ａを差し込んで接着剤で水密的に接続し、一番下流側のヘッダー用継手１の端部に流出口１ｂを差し込んで接着剤で水密的に接続することにより、排水ヘッダーＨが組立てられている。
【００２２】
上記のように、排水ヘッダーＨは、ヘッダー用継手１の接続個数を増減することによって、排水枝管の流入口１ｃを所望数備えた排水ヘッダーＨを組立てることができ、また、片側面に流入口１ｃが形成されたヘッダー用継手１と、反対側面に流入口１ｃが形成されたヘッダー用継手１との組合せ方によって、片側面のみに流入口１ｃを有する排水ヘッダーＨや、両側面に所望数の流入口１ｃを有する排水ヘッダーＨを組立てることができる。
【００２３】
上記のように、ヘッダー用継手１，１同士を接合することで、複数の排水枝管の流入口１ｃを有する排水ヘッダーＨが組立てられるが、その中には使用しない排水枝管の流入口１ｃが出てくる場合がある。また、配管の取り回しの関係上、上流側排水管３を排水枝管の流入口１ｃに接続する場合もある。このような場合、使わない流入口１ａ，１ｃの開口部を閉塞する必要がある。また、点検口１ｄは、その開口部より排水ヘッダーＨの内部の点検、メンテナンスをするものであり、通常、その開口部は閉塞されている。そこで、これら使わない流入口１ａ，１ｃや点検口１ｄの開口部を閉塞するために、次に説明する蓋部材２を用いる。
【００２４】
即ち、蓋部材２は、図２、図４に示すように、円筒体の前端（排水ヘッダーＨ側）が閉塞されたキャップ本体２ａと、キャップ本体２ａの後端部（排水ヘッダーＨの反対側）に周設されたフランジ部２ｂと、フランジ部２ｂに形成された係止部２ｃと、フランジ部２ｂの端面に設けられた棒状突起２ｄと、キャップ本体２ａの周面に周設されたパッキン嵌着溝２ｅと、そのパッキン嵌着溝２ｅに嵌着された防水パッキン２ｆとを備える。
【００２５】
キャップ本体２ａは、図４に示すように、その外径が、上流側排水管３の流入口１ａ、排水枝管の流入口１ｃ、点検口１ｄの内径に略等しくなるように形成されたもので、このキャップ本体２ａを、流入口１ａ，１ｃや点検口１ｄの開口部に挿入することにより、その周面のパッキン嵌着溝２ｅに嵌着された防水パッキン２ｆが、流入口１ａ，１ｃや点検口１ｄの内周面に密着して、良好な止水性が実現されている。
尚、蓋部材２の端面（裏面側）と流入口１ａの端面によって確実に止水できる場合は、必ずしも上記キャップ本体２ａは必須の構成要素ではない。
【００２６】
上記キャップ本体２ａの後端部（排水ヘッダーＨの反対側）に周設されたフランジ部２ｂは、図４に示すように、蓋部材２を流入口１ａの開口部に挿入した際に、流入口１ａの上流側端面と当接して、蓋部材２が排水ヘッダーＨの内部に入り込むのを防止する役割を果たす。このフランジ部２ｂは、図２に示すように、完全な円形状をしたものではなく、一方の側縁とそれに対面する側縁が直線的に截断されている（図２でいうフランジ部２ｂの上側縁と下側縁）。このフランジ部２ｂの側縁が截断された部分は流入口１ａの外径に略等しく、截断されていない円弧状の部分の直径は、流入口１ａの直径よりも大きくなっている。そして、この直径の大きい円弧部の排水ヘッダーＨ側の端面より次に説明する係止部２ｃが形成されている。
【００２７】
図３、図５の（ａ）に示すように、係止部２ｃは、上記フランジ部２ｂの排水ヘッダーＨの流入口１ａ側の端面より流入口１ａに向って延出されて形成されたＬ字状の突設片であって、フランジ部２ｂの直径の大きい円弧部にそれぞれ１つずつ、合計２つ形成されている。この係止部２ｃは、上記排水ヘッダーＨの上流側排水管３の流入口１ａや排水枝管の流入口１ｃや点検口１ｄに形成された被係止部１ｅと係止することで、蓋部材２を流入口１ａ，１ｃや点検口１ｄに確実に取付けることができるようにするものである。
【００２８】
上記蓋部材２の係止部２ｃと係止する被係止部１ｅは、図１、図３、図５の（ａ）に示すように、流入口１ａ，１ｃ及び点検口１ｄの外周面からそれぞれ外側に向って突設された略立方体の凸部であって、この被係止部１ｅの２側面が上記Ｌ字状の係止部２ｃの内側の２面と当接して係止することで、蓋部材２が流入口１ａ，１ｃや点検口１ｄに外れることなく取付けられる。
【００２９】
次に、上記係止部２ｃが形成されたフランジ部２ｂの反対側の端面には、図２、図３に示すように、４本の棒状突起２ｄが設けられている。この棒状突起２ｄは、フランジ部２ｂの径の大きい円弧部に２本と、その対角線状に位置する径の大きい円弧部に２本が設けられており、一方の棒状突起２ｄ，２ｄの間に棒やドライバーなどの工具を通すと共に、もう一方の棒状突起２ｄ，２ｄの間にも工具を通して、棒状突起２ｄに工具を引っ掛けて回転させることで、上記蓋部材２の係止部２ｃと流入口１ａの被係止部１ｅを係止させたり、その係止を解除したりして、容易に蓋部材２を取付けたり取外したりできるようになっている。
【００３０】
即ち、蓋部材２を排水ヘッダーＨの流入口１ａに取付けるには、図３の（ａ）に示すように、流入口１ａの開口部に蓋部材２のキャップ本体２ａを挿入する。流入口１ａの開口部に蓋部材２のキャップ本体２ａを挿入すると、フランジ部２ｂに設けられた１対の棒状突起２ｄ，２ｄに工具を引っ掛けて、図３の（ｂ）に示すように、蓋部材２を反時計回りに僅かに回転させる。このように蓋部材２を反時計回りに回転させると、図３の（ｃ）に示すように、蓋部材２の係止部２ｃが流入口１ａの被係止部１ｅに係止して、蓋部材２を僅かに回転させるだけで容易に排水ヘッダーＨの流入口１ａに蓋部材２を取付けることができる。上記の工程で蓋部材２を排水ヘッダーＨの流入口１ａに取付けると、係止部２ｃはフランジ部２ｂの直径が大きい円弧部に形成されているので、係止部２ｃが流入口１ａの外周面側に位置する。従って、排水ヘッダーＨーの外側から係止部２ｃと被係止部１ｅの係止状態を一目で視認することができるので、取付けたつもりでも係止部２ｃと被係止部１ｅが係止していないという失敗を回避することができる。また、係止部２ｃと被係止部１ｅを上記形状にすることで、排水ヘッダーＨの内部からの圧力によって、排水ヘッダーＨから蓋部材２の方向に力（蓋部材２が脱落する方向の力）が作用しても、係止部２ｃのＬ字状の内側２面と、被係止部１ｅの２面（図３では上側面と左側面）が確実に密接して係止（特に図３でいう係止部２ｃの屈曲部から先端に延びる内側面と被係止部１ｅの左側面）しているので、蓋部材２が脱落する心配は皆無に等しくなる。特に、この排水ヘッダーＨの内部は、各水設備からの排水が合流するため圧力変動が非常に起こりやすく、蓋部材２が脱落する恐れのない本発明の採用は非常に好ましい。
尚、ここでは排水ヘッダーＨの流入口１ａに蓋部材２を取付ける方法を説明したが、排水枝管の流入口１ｃや点検口１ｄの開口部に蓋部材２を取付ける場合も同様の手順で行う。
また、排水枝管の流入口１ｃや点検口１ｄに取付ける蓋部材２も上記上流側排水管３の流入口１ａに取付ける蓋部材２と同様であるが、排水枝管の流入口１ｃや点検口１ｄと上流側排水管３の流入口１ａの直径が異なることがある。その場合は、それに合わせて蓋部材２の大きさは変化するが、その構成は同様である。
【００３１】
上記のように、本発明は、蓋部材２のキャップ本体２ａを流入口１ａに挿入し、蓋部材２を反時計回りに僅かに回転させるという容易な作業で、蓋部材２を排水ヘッダーＨの流入口１ａの開口部に取付けることができるものであるが、係止部２ｃが単にＬ字状の突設片であると、上記のように排水ヘッダーＨの内部からの圧力には強いとはいうものの、振動等によって蓋部材２に時計回りの力が作用すると、係止部２ｃと被係止部１ｅの係止状態が解除される恐れがある（当然の如く係止部２ｃの形状により反時計回りの力で係止状態が解除されることはない）。そこで本発明の蓋部材２の係止部２ｃには、図５の（ａ）に示すように、外れ止め２０ｃが形成されている。この外れ止め２０ｃは、係止部２ｃの内側面の先端部（フランジ部２ｂと反対側の端部）に、フランジ部２ｂの方向に向って形成された突部であって、この外れ止め２０ｃが被係止部１ｅに当接することにより、振動等によって蓋部材２に時計回りの力が作用しても、係止部２ｃと被係止部１ｅの係止状態が解除されるのを確実に防止している。これを更に詳述すると、この外れ止め２０ｃは、蓋部材２を流入口１ａの開口部に挿入した際の外れ止め２０ｃからフランジ部２ｂまでの距離が、被係止部１ｅの排水ヘッダーＨ側の面からフランジ部２ｂまでの距離よりも短くなる位置に形成されており、また、係止部２ｃと被係止部１ｅを係止させる際、最初に当接する箇所に形成されている。従って、係止部２ｃと被係止部１ｅを係止させるには、まず外れ止め２０ｃが被係止部１ｅを乗り越えていく必要があり、それには相応の力が必要となる。そして、相応の力を加えると、係止部２ｃが外側に向って弾性変形して被係止部１ｅを乗り越え、外れ止め２０ｃが被係止部１ｅを通過すると、再び復元力により元の形状に戻って係止部２ｃと被係止部１ｅは係止する。その逆に、係止部２ｃと被係止部１ｅの係止状態を解除するには、再びこの外れ止め２０ｃが被係止部１ｅを乗り越える必要があるので、上記と同等の力が必要（外れ止め２０ｃの内側面の傾斜角を大きくすることで、相応の力以上を必要とすることもできる。）となり、それ以下の力では係止部２ｃと被係止部１ｅの係止状態が解除されることはない。この相応の力とは、通常想定される振動等により作用する力よりも遥かに大きいので、蓋部材２に対して時計回りの方向に力が作用したとしても、係止部２ｃと被係止部１ｅの係止状態が解除されることはなく、蓋部材２が脱落する心配は皆無に等しくなる。
【００３２】
尚、蓋部材２の係止部２ｃは、流入口１ａ，１ｃや点検口１ｄの被係止部１ｅと確実に係止するのであれば、上記のように、Ｌ字状の突設片に限定されるものではなく、例えば、図５の（ｂ）に示すようなＬ字状に切欠かれた係止部２ｃであってもよいし、或いは、Ｌ字状の溝を係止部２ｃとしてもよい。
【００３３】
また、係止部２ｃに形成された外れ止め２０ｃも、上記の形状に限定されるものではなく、図５の（ｂ）に示すように、略半円球状に形成された突起であってもよい。更に、図５の（ｃ）に示すように、被係止部１ｅに外れ止め２０ｃを形成し、この外れ止め２０ｃを係止部２ｃに設けた凹部に嵌合するようにして、係止部２ｃと被係止部１ｅの係止状態が解除されるのを防止してもよい。
【００３４】
更に、上記の実施形態では、蓋部材２に係止部２ｃを形成しているが、排水ヘッダーＨの流入口１ａ，１ｃや点検口１ｄに係止部を形成し、蓋部材２に被係止部を形成してもよく、蓋部材２と流入口１ａ，１ｃ及び点検口１ｄに係止部と被係止部の双方を形成してもよい。
【００３５】
図７は本発明の他の実施形態に係る蓋部材の取付け構造を示す分解正面図である。
【００３６】
本発明の蓋部材の取付け構造は、上記のように、排水ヘッダーＨの流入口１ａ，１ｃや点検口１ｄの開口部にのみ採用されるものではなく、例えば図７に示すような宅地内に埋設された配管設備や、図６に示す屋外排水桝６の開口部にも適用し得るものである。
【００３７】
この図７に示す宅地内に埋設された配管設備は、宅地内に上流側排水管７、下流側排水管８、排水桝１１等が埋設されており、家屋の屋根や宅地内に降った雨水を集水して、公共の下水道設備に導いたりするものである。
【００３８】
宅地内に埋設される排水桝１１は、図７に示すように、左右両端部に上流側排水管７と下流側排水管８を挿入する筒状の流入口１１ｂと流出口１１ｃが一体に設けられていると共に、上端部に円形の開口部を有する点検口１１ａが突設された略逆Ｔ字型の合成樹脂製の排水桝１１であって、この点検口１１ａには、高さ調整筒１０が嵌入されるようになっている。
【００３９】
この高さ調整筒１０は、その上側開口部に取付けられる蓋部材２０を地表に臨ませるための合成樹脂製の円筒体であって、図７に示すように、高さ調整筒１０の外周面の上端部には、前述した図１〜図６に示すのと同様の被係止部１ｅが相対面する位置に２つ設けられており、この被係止部１ｅと、次に説明する蓋部材２０の係止部２ｃとが係止することによって、蓋部材２０が高さ調整筒１０の上側開口部に脱着自在に取付けられている。
【００４０】
上記高さ調整筒１０に取付けられる蓋部材２０は、図７に示すように、レジンコンクリートや合成樹脂で成形された蓋部材本体２０Ａと、合成樹脂製のアジャスター２０Ｂからなるもので、アジャスター２０Ｂの上部開口端面に蓋部材本体２０Ａの裏面縁部を載置するようになっている。このアジャスター２０Ｂの下端部には、上記高さ調整筒１０の被係止部１ｅと係止する係止部２ｃが２つ形成されている。この係止部２ｃは、前述した図５の（ｂ）に示すのと同様のＬ字状の切欠きであって、その内側面の屈曲部近傍には、上記と同様の外れ止め２０ｃが形成されている。そして、アジャスター２０Ｂの係止部２ｃの挿入口より高さ調整筒１０の被係止部１ｅを挿入し、相応の力を加えてアジャスター２０Ｂを少し回転させる（この場合は時計回り）と、この外れ止め２０ｃが被係止部１ｅを乗り越えて、係止部２ｃと被係止部１ｅは強固に係止するようになっている。
この図７に示す蓋部材の取付け構造のその他の構成は、前述した図１〜図６に示す実施形態と同様であるので、同一部材に同一符号を附して説明を省略する。
【００４１】
本実施形態の蓋部材の取付け構造は、上記のように、排水桝１１の点検口１１ａに嵌入される高さ調整筒１０の上側開口部に、蓋部材２０を簡単且つ確実に取付けたものであり、これにより、アジャスター２０Ｂに載置された蓋部材本体２０Ａのみを取外すだけで、排水桝１１の内部を点検・メンテナンスできるようになっている。
尚、蓋部材本体２０Ａとアジャスター２０Ｂは一体に形成されていてもよく、そのように一体に形成した場合は、宅地内の配管設備の圧力変動によって蓋部材２０が外れる方向の力（この場合は上方に向う力）が作用しても、蓋部材２０が外れてしまう恐れがなくなる。
【００４２】
以上、種々の態様を詳述してきたが、本発明の蓋部材の取付け構造は、これらに限定されるものではなく、開口部を有する管部材を蓋部材によって閉塞するものであれば、これら以外にも適用可能な技術であることは言うまでもない。
【符号の説明】
【００４３】
Ｈ    排水ヘッダー
１    ヘッダー用継手
１ａ  流入口（上流側排水管用）
１ｂ  流出口
１ｃ  流入口（排水枝管用）
１ｄ  点検口
１ｅ  被係止部
２    蓋部材
２ａ  キャップ本体
２ｂ  フランジ部
２ｃ  係止部
２０ｃ  外れ止め
２ｄ  棒状突起
２ｅ  パッキン嵌着溝
２ｆ  防水パッキン
２０  蓋部材
２０Ａ  蓋部材本体
２０Ｂ  アジャスター
３    上流側排水管
４    下流側排水管
５    土間コンクリート
６    屋外排水桝
７    上流側排水管
８    下流側排水管
１０  高さ調整筒
１１  排水桝
１１ａ  点検口
１１ｂ  流入口
１１ｃ  流出口
【図１】
2014070369.tif 000003
【図２】
2014070369.tif 000004
【図３】
2014070369.tif 000005
【図４】
2014070369.tif 000006
【図５】
2014070369.tif 000007
【図６】
2014070369.tif 000008
【図７】
2014070369.tif 000009